(57)【要約】【課題】  事務作業と休息とを１台の随時行なうことができる新規な椅子を提供すること。【解決手段】  座部と、背もたれ部と、脚部とを含む椅子において、脚部の接地点が椅子の主重心部の２点（Ａ，Ａ点）と、該重心より前方の２点（Ｂ，Ｂ点）と、該重心より後方の２点（Ｃ，Ｃ点）の合計６点からなり、上記Ａ，Ａ点が、Ｂ，Ｂ点およびＣ，Ｃ点を結ぶ線よりも下方に位置していることを特徴とする椅子。【選択図】  図１
0003108278.tif 000002
【実用新案登録請求の範囲】
【請求項１】
座部と、背もたれ部と、脚部とを含む椅子において、脚部の接地点が椅子の主重心部の２点（Ａ，Ａ点）と、該重心より前方の２点（Ｂ，Ｂ点）と、該重心より後方の２点（Ｃ，Ｃ点）の合計６点からなり、上記Ａ，Ａ点が、Ｂ，Ｂ点およびＣ，Ｃ点を結ぶ線よりも下方に位置していることを特徴とする椅子。
【請求項２】
Ａ，Ａ点とＢ，Ｂ点とが接地している状態において、Ａ，Ａ点とＣ，Ｃ点を結ぶ線と水平面との角度αが３〜２０°である請求項１に記載の椅子。
【請求項３】
Ｂ，Ｂ点の上方には、着席者の両足が掛かるフットレストが設けられている請求項１に記載の椅子。
【請求項４】
座部がサドル形状である請求項１に記載の椅子。
【請求項５】
背もたれ部の両側に肘掛け部が一体的に設けられている請求項１に記載の椅子。
【考案の詳細な説明】
【技術分野】
【０００１】
本考案は椅子に関し、さらに詳しくは事務作業とその間の休息とを随時行なうことができる新規な椅子に関する。
【背景技術】
【０００２】
従来種々の椅子が考案されている。椅子を大別すると、所謂事務作業に適した椅子と休息に適した椅子とに分けられる。事務用椅子の場合には机に向かって正しい姿勢がとれ、かつ体に負担のないように種々の構造上の工夫が為されている。また、休息用の椅子についても同様に種々の工夫が為されている。
【０００３】
勿論、事務用椅子であっても、事務の合間に楽な姿勢で休息が取れるように、背もたれが後方に幾分倒れるように工夫され、一方、休息用の椅子も事務用に使用不可能ではないが、いずれにしてもいずれか一方が主目的に構成されており、事務用と休息用を充分に兼ね備えている椅子は知られていない。その最大の理由は事務用椅子で休息する場合、背もたれを後方に傾けて体勢を反らせるのが普通であるが、その際、両足は床に着いた状態であることから体勢が不自然であることによる。このような課題を解決する方法として、椅子に着席したまま両足を机の上や、他の椅子の座部に乗せることが多いが、この場合には職場の雰囲気を悪くしたり、他の椅子を利用することからスペース的に無理が生じる場合がある。
【考案の開示】
【考案が解決しようとする課題】
【０００４】
従って、本考案の目的は、上記の課題を解決し、事務作業と休息とを１台で随時行なうことができる新規な椅子を提供することである。
【課題を解決するための手段】
【０００５】
上記目的は以下の本考案によって達成される。
１．座部と、背もたれ部と、脚部とを含む椅子において、脚部の接地点が椅子の主重心部の２点（Ａ，Ａ点）と、該重心より前方の２点（Ｂ，Ｂ点）と、該重心より後方の２点（Ｃ，Ｃ点）の合計６点からなり、上記Ａ，Ａ点が、Ｂ，Ｂ点およびＣ，Ｃ点を結ぶ線よりも下方に位置していることを特徴とする椅子。
２．Ａ，Ａ点とＢ，Ｂ点とが接地している状態において、Ａ，Ａ点とＣ，Ｃ点を結ぶ線と水平面との角度αが３〜２０°である前記１に記載の椅子。
３．Ｂ，Ｂ点の上方には、着席者の両足が掛かるフットレストが設けられている前記１に記載の椅子。
４．座部がサドル形状である前記１に記載の椅子。
５．背もたれ部の両側に肘掛け部が一体的に設けられている前記１に記載の椅子。
【考案の効果】
【０００６】
本考案によれば、事務作業と休息とを１台の椅子で随時行なうことができる新規な椅子を提供することができる。
【考案を実施するための最良の形態】
【０００７】
次に、添付図面に示す実施の最良の形態を参照して本考案をさらに詳細に説明する。図１は本考案の椅子の全体を示す斜視図である。本考案の椅子は、図示のように座部１と、背もたれ部２と、脚部３とを含む椅子において、脚部３の接地点が椅子の主重心部（「主重心部」とは着席者の大部分の重心が掛かる部分を意味する）の２点（Ａ，Ａ点）と、該重心より前方の２点（Ｂ，Ｂ点）と、該重心より後方の２点（Ｃ，Ｃ点）の合計６点からなり、図２に示すように上記Ａ，Ａ点が、Ｂ，Ｂ点およびＣ，Ｃ点を結ぶ線（不図示）よりも下方に位置していることを特徴している。
【０００８】
上記本考案の椅子においては、図２ａに示すように、Ａ，Ａ点（図面にはいずれか一方の点のみが示されている。以下同じ）とＢ，Ｂ点とが床に接地している状態において、Ａ，Ａ点とＣ，Ｃ点を結ぶ線と水平面（「水平面」とは床面を意味する）との角度αが３〜２０°であること、および図２ｂに示すようにＡ，Ａ点とＣ，Ｃ点とが床に接地している状態において、Ａ，Ａ点とＢ，Ｂ点を結ぶ線と水平面との角度βが３〜２０°であることが好ましい。また、Ｂ，Ｂ点付近上方には図１〜３に示すように着席者Ｘの両足ｘが乗るフットレスト４を設けておくことが好ましい。
【０００９】
脚部３が、上記図２ａの状態（Ａ，Ａ点とＢ，Ｂ点とが床面に接地している状態）の場合の椅子の状態および該椅子の着席者Ｘの状態は図３ａに示す如くである。すなわち、机Ｙに向かっている着席者Ｘは通常の作業体勢であり、この状態では両足ｘ，ｘがフットレスト４，４上に保持されている以外は通常の椅子の場合と実質的に異ならない。ところで事務作業を中断して休息する場合に、着席者Ｘがその体重を背もたれ部２側に移すと、着席者Ｘと椅子との両者の重心は背もたれ部２側に移行する。この状態では図２ｂに示すように、Ｂ，Ｂ点は、フットレスト４，４上に保持されている両足とともには床を離れ、Ｃ，Ｃ点がストッパーとして作用して床に接地し、椅子が、Ａ，Ａ点とＣ，Ｃ点の４点で接地するので、着席者が安定に保持されている。この状態では図３ｂに示すように両足ｘ，ｘを含めて着席者Ｘの全身は、仰向けの方向に安定に保持され、両肘ｙは背もたれ部２の両側に設けられた肘掛け部５に掛かって、着席者Ｘの体勢が安定する。
【００１０】
上記の椅子の状態変化は、椅子がＡ，Ａ点を中心にして前後に所定の角度に傾くことによって生じる。椅子が前方に相対的に傾いている状態、すなわち、着席者Ｘが事務作業に従事している状態（Ａ，Ａ点とＢ，Ｂ点とが接地している状態、図２ａ）において、Ａ，Ａ点とＣ，Ｃ点を結ぶ線と水平面との角度αは、３〜２０°であることが好ましい。この角度αが２０°よりも大きいと、休息時の作業者の仰向け体勢（図２ｂ）が大きくなり過ぎ、その姿勢が作業環境にそぐわないことになる。また、角度αが３°より小さいと休息時の作業者の仰向け状態が浅過ぎて休息には不十分である。
【００１１】
また、椅子が後方に相対的に傾いている状態、すなわち、着席者Ｘが休息している状態（Ａ，Ａ点とＣ，Ｃ点とが接地している状態、図２ｂ）において、Ａ，Ａ点とＢ，Ｂ点を結ぶ線と水平面との角度βも、前記と同じ理由で３〜２０°であることが好ましい。
【００１２】
以上本考案の原理を説明したが、その他の構成は従来技術の椅子と同様でよいが、好ましい実施形態では、前記背もたれ部２の両側には肘掛け部５が一体的に設けられていることが好ましい。この肘掛け部５を設けることによって、図３ｂに示すように休息時の着席者Ｘの体勢が安定し、より充分な休息が可能である。  また、前記座部１は、従来の椅子と同様でもよいが、その形状を自転車の座部、または乗馬用の鞍（サドル）と同様なサドル形状とすることが好ましい。このように座部１をサドル形状とすることによって、図３ｂに示すような休息時の作業者の体勢は幾分両足を開いた楽な姿勢が保たれ、より充分な休息が可能である。
【００１３】
また、Ａ，Ａ点およびＢ，Ｂ点には、それぞれキャスター７を設けて椅子の移動を容易にすることが好ましいが、キャスター７の設置は必須ではない。また、Ｃ，Ｃ点にはキャスターを設ける必要はなく、接地点には木製や絨緞製の床面保護のためにゴムやプラスチックからなる緩衝材８を取りつけておくことが好ましい。
【００１４】
また、本考案の椅子においては、背もたれ部２の上部中心上方にはヘッドレスト６を設けておくことにより、図３ｂに示す如き着席者Ｘの休息時における頭部の安定性を保持することで、より充分な休息が可能である。
また、本考案の椅子における各部材の連結は通常の椅子と同様にスチール製のパイプなどを加工して行なうことができる。特にフットレスト４はパイプ材を曲げて半円状として、両足の土踏まずの位置をパイプ材に当接して姿勢を安定化させることが好ましい。また、座部１と脚部３とは、座部１の高さを調節することができる部材を介して連結することが好ましい、以上の座部１、背もたれ部２、ヘッドレスト６などの材質も従来の椅子と同様でよい。
【産業上の利用可能性】
【００１５】
本考案によれば、事務作業と休息とを１台の椅子で随時行なうことができる新規な椅子を提供することができる。
【図面の簡単な説明】
【００１６】
【図１】本考案の椅子の全体を説明する斜視図。
【図２】本考案の椅子の作用を説明する斜視図。
【図３】本考案の椅子の使用を説明する斜視図。
【符号の説明】
【００１７】
１：座部
２：背もたれ部
３：脚部
４：フットレスト
５：肘掛け部
６：ヘッドレスト
７：キャスター
８：緩衝材
Ａ，Ｂ，Ｃ：接地点
Ｘ：着席者
ｘ：足
ｙ：肘
Ｙ：机
【図１】
0003108278.tif 000003
【図２】
0003108278.tif 000004
【図３】
0003108278.tif 000005